(57)【要約】【課題】防水上有利でかつ棟受け上に侵入した水を屋根面上にスムーズに排水できると共に、棟板受けの加工及び換気棟板への取付が簡単になるようにする。【解決手段】換気棟板１３の設置部１７の外端部に、下側に折り返してなる折り返し部１９が設けられ、棟板受け１４に、換気棟板３の設置部１７の下面側に沿うように、屋根流れ方向に突出した突出板部３１が設けられ、棟板受け１４上の水が突出板部３１を伝わって折り返し部１９から屋根面４ａ，４ｂ上に排出されるように、突出板部３１の突出端部が、換気棟板１３の折り返し部１９に嵌合されている。【選択図】      図１
2004190398.tif 000002
【特許請求の範囲】
【請求項１】
屋根の棟部分に設けた屋根開口部（７）の上方に、棟を挟む一対の屋根面（４ａ，４ｂ）間に跨るように換気棟板（１３）が設けられ、該換気棟板（１３）は、一対の屋根面（４ａ，４ｂ）に沿うように山形状に形成された一対の傾斜部（１５）と、一対の傾斜部（１５）の外側端から下方に突出された一対の起立部（１６）と、一対の起立部（１６）の下端から屋根面（４ａ，４ｂ）に添うように屋根流れ方向に突出された一対の設置部（１７）とを有し、一対の傾斜部（１７）に排気孔（２０）が設けられ、換気棟板（１３）の排気孔（２０）の下方に、棟板受け（１４）が設けられた換気棟において、
換気棟板（１３）の設置部（１７）の外端部に、下側に折り返してなる折り返し部（１９）が設けられ、棟板受け（１４）に、換気棟板（３）の設置部（１７）の下面側に沿うように、屋根流れ方向に突出した突出板部（３１）が設けられ、棟板受け（１４）上の水が突出板部（３１）を伝わって折り返し部（１９）から屋根面（４ａ，４ｂ）上に排出されるように、突出板部（３１）の突出端部が、換気棟板（１３）の折り返し部（１９）に嵌合されていることを特徴とする特徴とする換気棟。
【請求項２】
棟板受け（１４）の突出板部（３１）よりも屋根流れ方向の上側に、排水孔（３７）が設けられていることを特徴とする請求項１に記載の換気棟。
【発明の詳細な説明】
【０００１】
【発明の属する技術分野】
本発明は、住宅等の屋根に設置される換気棟に関する。
【０００２】
【従来の技術】
住宅等の屋根に設置される換気棟には、図１１に示すように、屋根の棟部分に設けた屋根開口部７１の上方に、棟を挟む一対の屋根面間に跨るように換気棟板７２が設けられ、該換気棟板７２は、一対の屋根面に沿うように山形状に形成された一対の傾斜部７３と、一対の傾斜部７３の外側端から下方に突出された一対の起立部７４と、一対の起立部７４の下端から屋根面に添うように屋根流れ方向に突出された一対の設置部７５とを有し、一対の傾斜部７３に排気孔７６が設けられ、換気棟板７２の排気孔７６の下方に、棟板受け７７が設けられたものがある。
【０００３】
この種の従来の換気棟は、同図に示すように、棟板受け７７が、排気孔７６に対向する受け板部７９と、受け板部７９の内側端から上方に突出した起立部８０と、起立部８０の上端から屋根流れ方向に突出した上取付部８１と、受け板部７９の外側端から上方に突出した下取付部８２とを有し、起立部８０に排気口８４が設けられ、上取付部８１をリベット等の締付具８５で換気棟板７２に締め付け固定すると共に、下取付部８２を、換気棟板７２の起立部８０に添わしてリベット等の締付具８６で換気棟板７２に締め付け固定するようにしていた。また、棟板受け７７の受け板部７９と下取付部８２との境界部分に、排水孔８８を設け、換気棟板７２の排気孔７６等から棟板受け７７上に侵入した雨水等の水を、棟板受け７７上を伝わって排水孔８８から屋根面上に排水するようにしていた（例えば、特許文献１）。
【０００４】
【特許文献１】
特開平９−７８７８２号公報
【特許文献２】
実開昭６１−１７０６３０号公報
【特許文献３】
実開平０５−９２３１１号公報
【０００５】
【発明が解決しようとする課題】
しかし、従来の換気棟では、棟板受け７７の上部側を折り曲げて、起立部８０と上取付部８１とを形成する他に、棟板受け７７の下部側を折り曲げて、下取付部８２を形成する必要があり、また、上取付部８１を換気棟板７２にリベット等の締付具８５で締め付け固定する他に、下取付部８２をリベット等の締付具８６で締め付け固定する必要があり、棟板受け７７の加工及び換気棟板７２への取付が非常に面倒であった。また、上取付部８１と下取付部８２とをリベット等で締め付け固定するので、換気棟板７２に対する上取付部８１の固定位置と下取付部８２の固定位置とを互いに調整できるようにするために、上取付部８１側の締付具用取付孔と下取付部８２側の締付具用取付孔の一方を長孔にする必要があり、この点から防水上不利になるという問題もあった。
【０００６】
本発明は上記問題点に鑑み、防水上有利でかつ棟受け上に侵入した水を屋根面上にスムーズに排水できると共に、棟板受けの加工及び換気棟板への取付が簡単になるようにしたものである。
【０００７】
【課題を解決するための手段】
この技術的課題を解決するための本発明の技術的手段は、屋根の棟部分に設けた屋根開口部７の上方に、棟を挟む一対の屋根面４ａ，４ｂ間に跨るように換気棟板１３が設けられ、該換気棟板１３は、一対の屋根面４ａ，４ｂに沿うように山形状に形成された一対の傾斜部１５と、一対の傾斜部１５の外側端から下方に突出された一対の起立部１６と、一対の起立部１６の下端から屋根面４ａ，４ｂに添うように屋根流れ方向に突出された一対の設置部１７とを有し、一対の傾斜部１７に排気孔２０が設けられ、換気棟板１３の排気孔２０の下方に、棟板受け１４が設けられた換気棟において、
換気棟板１３の設置部１７の外端部に、下側に折り返してなる折り返し部１９が設けられ、棟板受け１４に、換気棟板３の設置部１７の下面側に沿うように、屋根流れ方向に突出した突出板部３１が設けられ、棟板受け１４上の水が突出板部３１を伝わって折り返し部１９から屋根面４ａ，４ｂ上に排出されるように、突出板部３１の突出端部が、換気棟板１３の折り返し部１９に嵌合されている点にある。
【０００８】
また、本発明の他の技術的手段は、棟板受け１４の突出板部３１よりも屋根流れ方向の上側に、排水孔３７が設けられている点にある。
【０００９】
【発明の実施の形態】
以下、本発明を図示の実施の形態に従って説明する。
図１において、１は棟木、２は垂木、３は野地板で、棟木１と垂木２とで組み上げた屋根４の骨組上に張り付けられている。野地板３の上面に、アスファルトルーフィング等の防水シート５が敷かれ、その上にストレート瓦等の屋根材６が葺かれている。
屋根４の棟部分に、野地板３及び屋根材６等を切り欠いてなる屋根開口部７が設けられ、この屋根開口部７の上方に、棟を挟む一対の屋根面４ａ，４ｂ間に跨るように換気棟１１が設けられている。なお、８は屋根開口部７に対応して設けた水切り部材である。
【００１０】
図１〜図５において、前記換気棟１１は、板金製の換気棟板１３と板金製の左右一対の棟板受け１４とを備えている。
換気棟板１３は、一対の屋根面４ａ，４ｂに沿うように山形状に形成された一対の傾斜部１５と、一対の傾斜部１５の外側端から下方に突出された一対の起立部１６と、一対の起立部１６の下端から屋根面４ａ，４ｂに添うように屋根流れ方向に突出された一対の設置部１７とを有している。換気棟板１３の設置部１７の外端部に、下側にＵ字状に折り返してなる折り返し部１９が設けられている。
【００１１】
図４に示すように、一対の傾斜部１５の外側部側に、複数（図例では３個）の排気孔２０が屋根流れ方向に連続するように設けられ、この連続する複数（３個）ずつの換気孔２０が、棟方向に間隔をおいて複数設けられている。各換気孔２０は、傾斜部１５に邪魔片２１を下方に切り起こすことにより形成され、邪魔片２１は円弧状に湾曲形成されている。傾斜部１５の換気孔２０のやや内側端側（上側）に、締付具取付用の取付孔２３が棟方向に間隔をおいて複数個設けられ、傾斜部１５の換気孔２０間に、固定用の取付孔２４が棟方向に間隔をおいて複数個設けられている。図１〜図３に示すように、一対の傾斜部１５の換気孔２０よりも内側の下面に、防露材１８が設けられている。
【００１２】
図１〜図３及び図５に示すように、棟板受け１４は、一対の傾斜部１５の外側部側の下方にそれぞれ配置され、防水材２２を介して屋根面４ａ，４ｂ上に設置されている。各棟板受け１４は、傾斜部１５の排気孔２０に対向する受け板部２７と、受け板部２７の内側端から上方に突出した起立部２８と、起立部２８の上端から屋根流れ方向に突出した上取付部２９と、上取付部２９の外側端から下方に突出した垂下部３０とを有する。また、棟板受け１４の受け板部２７の外側端側に、換気棟板１３の設置部１７の下面側に沿うように、屋根流れ方向に突出した突出板部３１が設けられている。
【００１３】
図２、図３及び図５に示すように、棟板受け１４の起立部２８に排気口２６が設けられ、棟板受け１４の上取付部２９に、締付具取付用の取付孔３３が棟方向に間隔をおいて複数個設けられ、この取付孔３３は、換気棟板１３の取付孔２３に対応している。棟板受け１４の受け板部２７に、固定用の取付孔３４が棟方向に間隔をおいて複数個設けられ、この固定用の取付孔３４は、傾斜部１５の固定用の取付孔２４に対応している。棟板受け１４の受け板部２７の下面に、固定用の取付孔３４を塞ぐように防水材２２が貼り付けられている。
【００１４】
傾斜部１５の取付孔２３と上取付部２９の取付孔３３とにリベット、ビス等の締付具３５が挿入され、この締付具３５で上取付部２９が換気棟板１３の傾斜部１５に締め付け固定されている。また、突出板部３１の突出端部が、換気棟板１３のＵ字状の折り返し部１９に所定間隔（僅かな隙間）をあけて差し込まれ（嵌合され）、これにより、棟板受け１４上の水が突出板部３１を伝わって折り返し部１９から屋根面４ａ，４ｂ上に排出されるようになっている。棟板受け１４の突出板部３１よりも屋根流れ方向の上側に、排水孔３７が設けられている。
【００１５】
換気棟板１３の傾斜部１５と棟板受け１４との間にスペーサ部材３９が設けられ、スペーサ部材３９を貫通する釘等の固定具４０により、傾斜部１５と棟板受け１４とが屋根面４ａ，４ｂに固定されている。
図３及び図６〜図８に示すように、スペーサ部材３９は、ゴムや弾性を有する合成樹脂等により円筒状に形成され、スペーサ部材３９の軸心方向に、釘等の固定具４０を挿通する挿通孔４２が形成され、スペーサ部材３９の上端部に、上方突出する環状突起４３が設けられ、スペーサ部材３９の下端部に環状溝４５が設けられている。
【００１６】
換気棟板１３の固定用の取付孔２４の開口縁部に、上方に突出した環状のバーリング突起４４が設けられている。スペーサ部材３９の環状突起４３がバーリング突起４４の高さよりも高く形成され、バーリング突起４４がスペーサ部材３９の環状突起４３の下部側に外嵌されている。棟板受け１４の固定用の取付孔３４の開口縁部に、上方に突出した環状のバーリング突起４７が設けられ、バーリング突起４７がスペーサ部材３９の環状溝４５に嵌合されている。
釘等の固定具４０が固定用の取付孔２４，３４及びスペーサ部材３９に挿通されて、屋根面４ａ，４ｂに打ち付けられ、これにより、釘等の固定具４０によって、換気棟板１３の傾斜部１５と棟板受け１４の受け板部２７との間にスペーサ部材３９を介在した状態で、釘等の固定具４０により、傾斜部１５と受け板部２７とが屋根面４ａ，４ｂに固定されている。そして、スペーサ部材３９の環状突起４３の上部側が、固定具４０の頭部４０ａにより下方に押圧されて、取付孔２４の開口縁部（バーリング突起４４）と固定具４０の頭部４０ａとの間で挟持されて、取付孔２４及びスペーサ部材３９の挿通孔４２をシールするようになっている。
【００１７】
上記実施の形態によれば、換気棟１１を取り付ける場合、まず、棟板受け１４の外側端側に、起立部２８、上取付部２９及び垂下部３０を折り曲げ加工しておき、換気棟板１３の傾斜部１５に棟板受け１４の上取付部２９をリベット等の締付具３５により締め付け固定すると共に、棟板受け１４の突出板部３１の端部を換気棟板１３の折り返し部１９に嵌合し、また、スペーサ部材３９を、スペーサ部材３９の環状溝４５に固定用の取付孔３４のバーリング突起４４を、スペーサ部材３９の環状溝４５に嵌合させると共に、スペーサ部材３９の環状突起４３に固定用の取付孔２４のバーリング突起４４を外嵌して、スペーサ部材３９を換気棟板１３の傾斜部１５と棟板受け１４の受け板部２７との間に装着し、これにより、棟板受け１４を換気棟板１３を組み付けておく。
【００１８】
そして、棟板受け１４を、防水材１６を介して屋根面４ａ，４ｂ上に載置し、釘等の固定具３８を、固定用の取付孔２４，３４及びスペーサ部材３９に挿通して、屋根面４ａ，４ｂに打ち付け、これにより、釘等の固定具４０によって、換気棟板１３の傾斜部１５と棟板受け１４の受け板部２７との間にスペーサ部材３９を介在した状態で、釘等の固定具４０により、傾斜部１５と受け板部２７とが屋根面４ａ，４ｂに固定すればよい。
従って、棟板受け１４の内側部側（上部側）のみを折り曲げて、起立部２８と上取付部２９と垂下部３０とを形成すればよく、棟板受け１４の下部側は折り曲げ加工をする必要がなくなり、また、上取付部２９を換気棟板１３にリベット等の締付具３５で締め付け固定すればよく、棟板受け１４の下部側は、棟板受け１４の突出板部３１の端部を換気棟板１３の折り返し部１９に嵌合すればよく、棟板受け１４の加工及び換気棟板１３への取付が非常に簡単になる。また、棟板受け１４の上取付部２９のみをリベット等で換気棟板１３に対して締め付け固定するので、上取付部２９側の締付具用取付孔を長孔にする必要がなくなり、この点から防水上も有利になる。さらに、棟板受け１４の上部側の上取付部２９を換気棟板１３にリベット等の締付具３５で締め付け固定し、かつ、棟板受け１４の下部側の突出板部３１の端部を換気棟板１３の折り返し部１９に嵌合するので、棟板受け１４をガタ付きを生じないように換気棟板１３に確実に組み付けることができる。
【００１９】
換気棟板１３及び棟板受け１４を屋根面４ａ，４ｂに取り付けたとき、スペーサ部材３９の環状突起４３の上部側が、固定具４０の頭部４０ａにより下方に押圧されて、取付孔２４の開口縁部（バーリング突起４４）と固定具４０の頭部４０ａとの間で挟持されて、環状突起４３が、頭部４０ａとバーリング突起４４との間の隙間を確実に埋め、取付孔２４及びスペーサ部材３９の挿通孔４２をシールする。従って、取付孔２４をシールするための特別のシール部材を設ける必要がなくなり、棟板受け１４及び換気棟板１３の屋根面４ａ，４ｂへの固定作業が簡単でかつ安上がりになる。また、固定具４０の頭部４０ａと取付孔２４の開口縁部（バーリング突起４４）との間に、環状突起４３が介在されるため、頭部４０ａの換気棟板１３（取付孔２４の開口縁部、バーリング突起４４）への掛かりが確保され、固定具４０による棟板受け１４及び換気棟板１３の屋根面４ａ，４ｂへの固定をより確実なものになし得る。
【００２０】
また、換気棟１１の取付け後には、屋根開口部７から排出された排気は、図１に実線の矢印ａで示す如く、棟板受け１４の排気口２６を通って、換気棟板１３と棟板受け１４との間に入り、換気棟板１３の排気孔２０から外部に排気される。そして、排気孔２０から棟板受け１４上に侵入した雨水等の水は、突出板部３１を伝わって、まず、排水孔３７から屋根面４ａ，４ｂ上に排出され、排水孔３７がオーバーフローしても、残った水は、折り返し部１９から屋根面４ａ，４ｂ上に排出される。しかも、棟板受け１４と屋根面４ａ，４ｂとの間に防水材２２が介在されているため、棟板受け１４と屋根面４ａ，４ｂとの間に排水路を確保することができる。従って、棟板受け１４上に侵入した水を、屋根面４ａ，４ｂ上にスムーズに排水できる
図９は他の実施の形態を示し、棟板受け１４の上取付部２９は、起立部２８の上端から屋根流れ方向の上側（内側端側）に突出され、前記垂下部３０が省略されている。その他の点は、前記実施の形態の場合と同様の構成である。
【００２１】
図１０は他の実施の形態を示し、左右の棟板受け１４の上取付部２９は、起立部２８の上端から屋根流れ方向の上側（内側端側）に突出されると共に、垂下部３０が省略され、左右の棟板受け１４の上取付部２９同士が内側端側に延長突出されて互いに連結され、これにより、左右一対の棟板受け１４が一体に構成されている。その他の点は前記実施の形態の場合と同様の構成である。
【００２２】
【発明の効果】
本発明によれば、防水上有利でかつ棟板受け１４上に侵入した水を屋根面上にスムーズに排水できる。また、棟板受け１４の加工及び換気棟板１３への取付が簡単になる。
【図面の簡単な説明】
【図１】本発明の一実施の形態を示す換気棟の概略断面図である。
【図２】同換気棟の排気孔部分の断面図である。
【図３】同換気棟の固定具部分の断面図である。
【図４】同換気棟板の平面図である。
【図５】同棟板受けの斜視図である。
【図６】スペーサ部材の正面図である。
【図７】スペーサ部材の平面図である。
【図８】スペーサ部材の断面図である。
【図９】他の実施形態を示す換気棟板及び棟板受けの断面図である。
【図１０】他の実施の形態を示す概略断面図である。
【図１１】従来例を示す概略断面図である。
【符号の説明】
４      屋根
４ａ    屋根面
４ｂ    屋根面
７      屋根開口部
１１    換気棟
１３    換気棟板
１４    棟板受け
１５    傾斜部
１６    起立部
１７    設置部
１９    折り返し部
２０    排気孔
３１    突出板部
３７    排水孔
【図１】
2004190398.tif 000003
【図２】
2004190398.tif 000004
【図３】
2004190398.tif 000005
【図４】
2004190398.tif 000006
【図５】
2004190398.tif 000007
【図６】
2004190398.tif 000008
【図７】
2004190398.tif 000009
【図８】
2004190398.tif 000010
【図９】
2004190398.tif 000011
【図１０】
2004190398.tif 000012
【図１１】
2004190398.tif 000013